(57)【特許請求の範囲】
【請求項１】
半幅帯の長尺帯本体を長手に沿って三区画に仮想区分して、仮想区分のいずれかの端部に位置する第一仮想区画は長尺帯本体を幅方向に二つ折りして長手折り縁部に支持された弾性紐体を折り縁部に沿って伸延し、幅方向に二つ折りした第一仮想区画を弾性紐体によって波形に折畳み可能に構成し、仮想区分の中央に位置する第二仮想区画はそのままの長尺帯本体に構成し、仮想区分の第一仮想区画とは他の端部に位置する第三仮想区画は長尺帯本体を幅方向に二つ折りして長尺外端部から所定の回数巻いて巻筒体を形成するように構成したことを特徴とする花弁結び用半幅帯。    
【請求項２】
半幅帯の花弁結び操作は、請求項１の花弁織り用半幅帯体構造において、
半幅帯の長尺帯本体における第二仮想区画を着物胴部または腰部に数回巻いて帯装着を行うことと、
弾性紐体によって第一仮想区画の長尺帯本体を波形に折畳んでその先端縁部の集合形態で花弁類似形状を形成することと、
着物着用者の胴部に巻いた長尺帯前面に第三仮想区画によって形成した巻筒体をひねりながら突出することと、
弾性紐体を第三仮想区画により形成した巻筒体の基部に巻き付けることにより波形に折り畳んだ長尺帯本体を花弁類似模様に巻筒体の周囲に囲繞する形態とすることと、
花弁結び部分を着物背後に転回することとを組み合わせることを特徴とする花弁結び用半幅帯を用いた花弁結び方法。
【発明の詳細な説明】
【技術分野】
【０００１】
この発明は、花弁結び用半幅帯及び花弁結び用半幅帯を用いた花弁結び方法に関する。
【背景技術】
【０００２】
従来、浴衣等の簡易な着物を着用する際に使用する帯には種々な形態の帯が使用されている。その中で半幅帯などは一定の幅員を有してしっかりとした帯締めができると共に、確実な帯結びができ、更には外観的にも帯の日本古来の美感を有することもあって、特に女性の着用者が多い。その中にあって帯の結び方に関しては可及的に華やかな外観を呈示することができるように花びら模様に結束する結び手法が流行している。
【０００３】
例えば、特許文献１には、熱可塑性合成繊維からなる不織布または織布を帯地として帯本体を形成し、この帯本体の表裏面全域に所望の形状からなる耐久性を有する襞を帯の幅方向に形成することで、外観良く優雅さと粋な味をかもし出すことができる浴衣帯について記載されている。
【先行技術文献】
【特許文献】
【０００４】
【特許文献１】実登第３０５９４７２号公報
【発明の開示】
【発明が解決しようとする課題】
【０００５】
しかしながら、花びら模様の結束は手法が複雑となり着用に時間がかかるため簡単な構造で華麗な形態の結束方法が熱望されている。特に花びら模様に帯を結ぶための結束器具を使用することも考えられるが、常に器具を手元に装備しておかねばならず日常的に使用することは煩雑であり、男女万人に共通して簡単に使用できるものではない。
【０００６】
この発明では、半幅帯自体に簡単な弾性紐体を装備するだけの簡単な構造にもかかわらず帯の結束部分には簡単な手法による華麗な花びら模様を現出できる花弁結び用半幅帯及び花弁結び用半幅帯を用いた花弁結び方法を提供するものである。
【課題を解決するための手段】
【０００７】
この発明は、半幅帯の長尺帯本体を長手に沿って三区画に仮想区分して、仮想区分のいずれかの端部に位置する第一仮想区画は長尺帯本体を幅方向に二つ折りして長手折り縁部に支持された弾性紐体を折り縁部に沿って伸延し、幅方向に二つ折りした第一仮想区画を弾性紐体によって波形に折畳み可能に構成し、仮想区分の中央に位置する第二仮想区画はそのままの長尺帯本体に構成し、仮想区分の第一仮想区画とは別の端部に位置する第三仮想区画は長尺帯本体を幅方向に二つ折りして長尺外端部から所定の回数巻いて巻筒体を形成するように構成したことを特徴とする花弁結び用半幅帯を提供する。
【０００８】
また、半幅帯の花弁結び操作は、請求項１の花弁織り用半幅帯体構造において、半幅帯の長尺帯本体における第二仮想区画を着物胴部または腰部に数回巻いて帯装着を行うことと、弾性紐体によって第一仮想区画の長尺帯本体を波形に折畳んでその先端縁部の集合形態で花弁類似形状を形成することと、着物着用者の胴部に巻いた長尺帯前面に第三仮想区画によって形成した巻筒体をひねりながら突出することと、弾性紐体を第三仮想区画により形成した巻筒体の基部に巻き付けることにより波形に折り畳んだ長尺帯本体を花弁類似模様に巻筒体の周囲に囲繞する形態とすることと、花弁結び部分を着物背後に転回することとを組み合わせることを特徴とする花弁結び用半幅帯を用いた花弁結び方法を提供する。
【発明の効果】
【０００９】
この発明によれば、半幅帯の長尺帯本体を長手に沿って三区画に仮想区分して、仮想区分のいずれかの端部に位置する第一仮想区画は長尺帯本体を幅方向に二つ折りして長手折り縁部に支持された弾性紐体を折り縁部に沿って伸延し、幅方向に二つ折りした第一仮想区画を弾性紐体によって波形に折り畳み可能に構成し、仮想区分の中央に位置する第二仮想区画はそのままの長尺帯本体に構成し、仮想区分の第一仮想区画とは別の端部に位置する第三仮想区画は長尺帯本体を幅方向に二つ折りして長尺外端部から所定の回数巻いて巻筒体を形成するように構成したこと、及び、半幅帯の花弁結び操作は、花弁織り用半幅帯体構造において、半幅帯の長尺帯本体における第二仮想区画を着物胴部または腰部に数回巻いて帯装着を行い、弾性紐体によって第一仮想区画の長尺帯本体を波形に託し上げてその先端縁部の集合形態で花弁類似形状を形成し、着物着用者の胴部に巻いた長尺帯前面に第三仮想区画によって形成した巻筒体をひねりながら突出し、弾性紐体を第三仮想区画により形成した巻筒体の基部に巻き付けることにより波形に折り畳んだ長尺帯本体を花弁類似模様に巻筒体の周囲に囲繞する形態とし、花弁結び部分を着物背後に転回してこれらの動作の組合せにより構成したことによって次のような効果を生じる。
【００１０】
すなわち、折り縁部に沿って伸延した弾性紐体を介して第一仮想区画を波形に折り畳むことにより花びらの原形となる折畳み波形が形成される。かかる折畳み波形は弾性紐体に沿って折畳み形状で並んでいるので弾性紐体を第三仮想区画に形成した巻筒体の周囲に巻くことにより折畳み波形を巻筒体周面に囲繞した形態とする。
【００１１】
かかる状態では花びらの原形となる折畳み波形の外端縁が渦巻き状で巻筒体を囲繞した状態となっている。次いで、弾性紐体を伸延しながら巻筒体基端部分の周囲に巻き付け固定する。次いで、渦巻き状の折畳み波形の外端縁を手動で開きながら花弁に類似した形状に形成する。このように簡単な作業により二つ折にした第一仮想区画が折畳み波形で丁度託し上げた形状に形成される。これを手で外周方向に開けば花弁類似の結び形状となり、しかも半幅帯に大きな変形や修正加工を施すことなく帯の結び目に花弁形状を形成することができる効果がある。
【図面の簡単な説明】
【００１２】
【図１】本発明の花弁結び用半幅帯にかかる長尺帯本体を側面から見た模式図である。
【図２】本発明の花弁結び用半幅帯にかかる長尺帯本体を平面から見た模式図である。
【図３】本発明の花弁結び用半幅帯の長尺帯本体を装着する過程を示す第１工程図である。
【図４】本発明の花弁結び用半幅帯の長尺帯本体を装着する過程を示す第２工程図である。
【図５】本発明の花弁結び用半幅帯の長尺帯本体を装着する過程を示す第３工程図である。
【図６】本発明の花弁結び用半幅帯の長尺帯本体を装着する過程を示す第４工程図である。
【図７】本発明の花弁結び用半幅帯の長尺帯本体を装着する過程を示す第５工程図である。
【図８】本発明の花弁結び用半幅帯の長尺帯本体を装着する過程を示す第６工程図である。
【図９】本発明の花弁結び用半幅帯の長尺帯本体を装着する過程を示す第７工程図である。
【発明を実施するための形態】
【００１３】
この発明の要旨は、半幅帯の長尺帯本体を長手に沿って三区画に仮想区分して、仮想区分のいずれかの端部に位置する第一仮想区画は長尺帯本体を幅方向に二つ折りして、幅方向に二つ折りした第一仮想区画を弾性紐体によって波形に折畳み可能に構成し、仮想区分の中央に位置する第二仮想区画はそのままの長尺帯本体に構成し、仮想区分の第一仮想区画とは別の端部に位置する第三仮想区画は長尺帯本体を幅方向に二つ折りして長尺外端部から所定の回数巻いて巻筒体を形成するように構成したこと、また、半幅帯の花弁結び操作は、請求項１の花弁織り用半幅帯体構造において、半幅帯の長尺帯本体における第二仮想区画を着物胴部または腰部に数回巻いて帯装着を行うことと、弾性紐体に沿って第一仮想区画の長尺帯本体を波形に折畳みその先端縁部の集合形態で花弁類似形状を形成することと、着物着用者の胴部に巻いた長尺帯前面に第三仮想区画によって形成した巻筒体をひねりながら突出することと、弾性紐体を第三仮想区画により形成した巻筒体の基部に巻き付けることにより波形に託し上げた長尺帯本体を花弁類似に巻筒体の周囲に囲繞する形態とすること、花弁結び部分を着物背後に転回することとを組合わせる構成としたことにある。
【００１４】
この発明の実施例を詳細に説明すると、図１は、本発明の一実施例としての花弁結び用半幅帯の長尺帯本体を側面から見た模式図であり、図２はその平面から見た状態を示す。図３〜図９は、本発明の一実施例としての花弁結び用半幅帯の長尺帯本体を胴体に装着する過程を示した工程図である。
【００１５】
本発明の一実施例は、図１および図２に示すように、半幅帯の長尺帯本体１を長手に沿って第一仮想区画１０、第二仮想区画２０、第三仮想区画３０の三区画に仮想区分している。
【００１６】
第一仮想区画１０は、花弁結びの花弁模様となる部分であり、その長さは長尺帯本体１となる第二仮想区画２０と略同じ長さの２メートル以上の長さに構成し、第三仮想区画３０は約３０乃至４０センチメートルとしている。しかし、各仮想区画の長さは厳密に規定されるものではなく帯の長さや幅員により適宜変更することができる。
【００１７】
第一仮想区画１０は、図１に示すように長尺帯本体１を幅方向に二つ折りして断面略Ｕ字状に形成しており、弾性紐体１１を長手折り縁部１２に支持しつつ長手折り縁部１２に沿って伸延している。
【００１８】
長手折り縁部１２には、所定間隔でクリップ１３を挟持している。クリップ１３には、リング１４をそれぞれ取り付け、このリング１４中に長手折り縁部１２に沿って弾性紐体１１を挿通することにより弾性紐体１１を長手折り縁部１２に沿って伸延する。
なお、弾性紐体１１を長手折り縁部１２に沿って伸延支持する構造としては、かかる構成に限定されるものではない。
【００１９】
例えば、長尺帯本体１を幅方向に二つ折りして形成した長手折り縁部１２の内側にトンネル状の筒体を形成する。
そのために長手折り縁部１２からトンネル幅に相当する寸法位置を長手折り縁部１２に沿って縫製することにより長手折り縁部１２の内側にトンネル状の筒体を形成してその筒中に弾性紐体１１を挿通することもできる。
【００２０】
第二仮想区画２０は、図１及び図２に示すように、長尺帯本体１であり半幅帯の本体を構成し、浴衣着用の場合の帯機能を果たす部分である。
【００２１】
第三仮想区画３０は、図１、図４に示すように、長尺帯本体１の長尺外端部３１から所定の回数巻き取りして巻筒体３２を形成する。
【００２２】
しかも、この巻筒体３２は、図６、図７に示すように、実際の帯結びの作業時には胴周りに巻いて浴衣の胴部を締付けた第二仮想区画２０の長尺帯本体１の正面部分に突出するように半捻りしながら巻筒体３２を形成する。
【００２３】
第一仮想区画１０は、図６、図７に示すように、長手折り縁部１２に沿って伸延した弾性紐体１１に沿って長尺帯本体１を波形に折畳みながらその先端縁部１８の渦巻き形状の集合形態で花弁類似形状の原形を形成する。
【００２４】
その後、図７に示すように、この渦巻き状の波形折畳み部分１９を第三仮想区画３０によって形成した巻筒体３２の周囲に巻き付ける。
【００２５】
そのために弾性紐体１１を弾性の特性で伸延しながら第三仮想区画３０で形成した巻筒体３２の周面に緊密に巻き付けることにより、図８に示すように、波形折畳み部分１９が巻筒体３２を囲繞した形態とする。
【００２６】
このように弾性紐体１１を第三仮想区画３０で形成した巻筒体３２の基部３３に巻き付けることにより波形に折り畳んだ長尺帯本体１を巻筒体３２の周囲に囲繞し、花弁に類似の形態とし、さらに、先端縁部１８を任意の形態に拡大することで花弁の面積を調整できる。
【００２７】
この状態は花弁の結び目が着物着用の正面側に位置しているので、図９に示すように、花弁の結び目部分を背後に回して背中に来るようにして花弁結び目の帯の着用が完了する。
【００２８】
[花弁結び装着工程]
上述したように構成された一実施例としての花弁結び用半幅帯の装着工程について図３〜図９を用いて説明する。
【００２９】
[帯の装着]
まず、図３に示すように、第三仮想区画３０を長尺外端部３１が装着者の背中側に垂れるように左右何れかの肩に引っ掛ける。
【００３０】
第二仮想区画２０を着物胴部、または腰部に数回巻きつけて胴体に長尺帯本体１を装着する。
【００３１】
図４に示すように、第二仮想区画２０を着物胴部、または腰部に巻きつけた後に、胴体正面で第一仮想区画１０と第三仮想区画３０とを第二仮想区画２０の上端部で結びつける。
【００３２】
図５に示すように、弾性紐体１１の端部を摘みながら第一仮想区画１０を波形となるように紐体固定部１６側に縮めることで先端縁部１８の集合形態により花弁類似形状を形成する。なお、この際の波形形状は、各クリップ１３、１３、、、の間で山折り、谷折りが隣り合うように形成される必要はなく、第一仮想区画１０が紐体固定部１６側に押し縮められていればどのような波形でもよい。
【００３３】
図６に示すように、第三仮想区画３０の長尺外端部３１から胴体に向かって巻回し、ひねりながら突出することで巻筒体３２を形成する。なお、巻筒体３２を形成する際の巻回向きには特に規定がなく、第三仮想区画３０の表面側、裏面側のいずれの向きに巻回して巻筒体３２を形成してもよい。
【００３４】
図７に示すように、波形形状に形成した第一仮想区画１０の長手折り縁部１２側を巻筒体３２の基部３３に反時計回りに捲回し、第一仮想区画１０の端部から突出した弾性紐体１１を第二仮想区画２０と着物胴体部との間に収納し、第一仮想区画１０を花弁類似模様となるように巻筒体３２の周囲に囲繞して波形折畳み部分１９を形成する。
【００３５】
図８に示すように、第一仮想区画１０の波形折畳み部分１９における先端縁部１８同士を離反することで開花した花弁状態を生起する。
【００３６】
図９に示すように、開花した花弁を有する第一仮想区画１０を着物背後に転回することで帯の結び目に花びら模様の結束が形成できる。
【００３７】
このように本件発明は、半幅帯の長尺帯本体１先端部分に弾性紐体１１を挿通して折畳み状に加工するのみで後は帯着用時に長尺帯本体１の折り曲げや巻筒体３２の形成など手動による帯の折り曲げ加工をするだけで帯の結び目に花弁形状の結び目を形成することができる。
【００３８】
なお、本発明は上述した実施形態に限られず、上述した実施形態の中で開示した各構成を相互に置換したり組合せを変更したりした構成、公知発明並びに上述した実施形態の中で開示した各構成を相互に置換したり組合せを変更したりした構成、等も含まれる。また、本発明の技術的範囲は上述した実施形態に限定されず、特許請求の範囲に記載された事項とその均等物まで及ぶものである。
【符号の説明】
【００３９】
１  長尺帯本体
１０  第一仮想区画
１１  弾性紐体
１２  長手折り縁部
１３  クリップ
１４  リング
１６  紐体固定部
１８  先端縁部
１９  波形折畳み部分
２０  第二仮想区画
３０  第三仮想区画
３１  長尺外端部
３２  巻筒体
３３  基部
【図１】
0006894942.tif 000002
【図２】
0006894942.tif 000003
【図３】
0006894942.tif 000004
【図４】
0006894942.tif 000005
【図５】
0006894942.tif 000006
【図６】
0006894942.tif 000007
【図７】
0006894942.tif 000008
【図８】
0006894942.tif 000009
【図９】
0006894942.tif 000010